(57)【要約】      （修正有）【課題】コネクタの間の相対的移動を防いで両者の間の安定した電気接続を確保することができる電子コネクタアセンブリを提供する。【解決手段】挿入部３１が前方へ突出した第１のハウジング３０と、複数のコンタクト３２とから構成されている第１のコネクタ３と、第２のハウジング４０と、前記第２のハウジング内４０に設けられている端子ホルダー４１と、前記端子ホルダー４１に取り付けられている複数の端子４２とから構成されている第２のコネクタ４と、前記第１のハウジング３０と前記第２のハウジング４０とに分設されている上、前記端子ホルダー４１が前記挿入部３１内に収容された時、それらの結合により、前記第１のハウジング３０と前記第２のハウジング４０との相対的移動を防いで電気接続を維持することができるように構成されているファスナー手段３４，４３とを備える。【選択図】図１
2007200652.tif 000002
【特許請求の範囲】
【請求項１】
その内部に前面からの挿入槽が形成してある挿入部が前方へ突出した第１のハウジングと、前記挿入槽の内壁面に並んだ複数のコンタクトとから構成されている第１のコネクタと、
その前方に開口した中空体であって該前方開口を介して前記挿入部が挿入される第２のハウジングと、前記挿入部が前記前方開口を介して前記第２のハウジング内に挿入された時、先端が前記挿入槽内に収容されるように前記第２のハウジング内に設けられている端子ホルダーと、同じく前記挿入部が前記第２のハウジング内に挿入されて前記端子ホルダーの先端が前記挿入槽内に収容された時、前記複数のコンタクトと対応して電気接続できるように前記端子ホルダーに取り付けられている複数の端子とから構成されている第２のコネクタと、
前記第１のハウジングと前記第２のハウジングとに分設されている上、前記挿入部が前記第２のハウジング内に挿入されて前記端子ホルダーが前記挿入槽内に収容された時、それらの結合により、前記第１のハウジングと前記第２のハウジングとの相対的移動を防いで前記複数のコンタクトと前記複数の端子との間の電気接続を維持することができるように構成されているファスナー手段とを備えてなることを特徴とする電子コネクタアセンブリ。
【請求項２】
前記ファスナー手段は、
前記第１のハウジングと前記第２のハウジングのいずれか一つに固設されており、且つそれに前後方向に沿って貫通孔が形成してあるねじ棒ホルダーと、
前記第１のハウジングと前記第２のハウジングの他の一つに前記ねじ棒ホルダーと対応的に固設されており、且つ、それに、前記挿入部が前記第２のハウジング内に挿入されて前記端子ホルダーが前記挿入槽内に収容された時、前記貫通孔と軸芯線が同一になるねじ孔が形成してあるねじ付け部材と、
少なくともその先端部にねじがついており、且つ前記挿入部が前記第２のハウジング内に挿入されて前記端子ホルダーが前記挿入槽内に収容された時、前記貫通孔を回転可能な嵌挿により通過してから前記ねじ孔とねじ合うことができるように形成されているねじ棒とからなることを特徴とする請求項１に記載の電子コネクタアセンブリ。
【請求項３】
前記ねじ付け部材は、ナットの形になっており、
前記貫通孔の前端部は、前記ねじ付け部材の前端部に外嵌できるように拡大したことを特徴とする請求項２に記載の電子コネクタアセンブリ。
【請求項４】
前記ねじ棒はすでに前記貫通孔を挿通したものであり、その基部は直径が前記貫通孔より大きくて孔外に位置しており、また、その先端部はねじ付きのものであって一部だけが孔外に突出しており、
該ねじ付きの先端部の根元に更に前記貫通孔内の前記拡大によってなった階段面と突き当たることができるフランジが張出して設けてあることを特徴とする請求項３に記載の電子コネクタアセンブリ。
【請求項５】
前記ファスナー手段は、
前記第１のハウジングと前記第２のハウジングのいずれか一つに固設されており、且つそれに前方へ突出する突起が形成してある突起台と、
前記第１のハウジングと前記第２のハウジングの他の一つに前記突起台と対応的に固設されており、且つ、それに、前記挿入部が前記第２のハウジング内に挿入されて前記端子ホルダーが前記挿入槽内に収容された時、前記突起と嵌め合う嵌合孔が形成してある係止台とからなることを特徴とする請求項１に記載の電子コネクタアセンブリ。
【請求項６】
前記ファスナー手段は、
前記中空体である第２のハウジングの内壁面に窪んだ凹孔と、
前記第１のハウジングの外壁面に弾性的に設置されている上、それに、前記挿入部が前記第２のハウジング内に挿入されて前記端子ホルダーが前記挿入槽内に収容された時、前記弾性により前記凹孔に嵌入してそれと係合することができる係止突起が設けてある係止部材とからなることを特徴とする請求項１に記載の電子コネクタアセンブリ。
【請求項７】
前記ファスナー手段は、
前記第１のハウジングと前記第２のハウジングのいずれか一つに固設されており、且つそれに前方へ突出する突起が形成してある台座と、
前記第１のハウジングと前記第２のハウジングの他の一つに固設されており、且つ、前記挿入部が前記第２のハウジング内に挿入されて前記端子ホルダーが前記挿入槽内に収容された時、左右両方から弾性的に前記突起を挟持する一対の挟持アームとからなることを特徴とする請求項１に記載の電子コネクタアセンブリ。
【請求項８】
前記突起の周面に一環の係止溝が形成してあり、
また、前記一対の挟持アームは、互いに対向していて挟持をする一対の先端を有し、該一対の先端はそれぞれ前記係止溝に内嵌しながら左右の一方から前記突起を銜えることができるアーク形の凹陥部が形成してあることを特徴とする請求項７に記載の電子コネクタアセンブリ。
【発明の詳細な説明】
【技術分野】
【０００１】
本発明は、電子コネクタアセンブリに関し、特に、２のコネクタの間の電気接続をしっかりと保持できる電子コネクタアセンブリに関する。
【背景技術】
【０００２】
図１２と図１３は、今日の生活に普及しているデジタルテレビ、ＤＶＤプレーヤーなどのデジタル製品の間の例えばＨＤＭＩ（ハイビジョン  マルチメディア  インターフェース）のデータ伝送に用いられる従来の電子コネクタアセンブリを示しており、該電子コネクタアセンブリは、主として第１のコネクタ１と第２のコネクタ２とを備えてなっている。
【０００３】
第１のコネクタ１は、その内部に前面からの挿入槽１４が形成してある挿入部１１が前方へ突出した第１のハウジング１０と、挿入槽１４の内壁面に並んでおり、且つケーブル１３により他のコネクタ（図示せず）と電気接続できる複数のコンタクト１２、１２とから構成されている。
【０００４】
第２のコネクタ２は、その前方に開口した中空体であって該開口２３を介して挿入部１１が挿入される第２のハウジング２０と、挿入部１１が開口２３を介して第２のハウジング２０内に挿入された時、先端が挿入槽１４内に収容されるように第２のハウジング２０内に設けられている端子ホルダー２１と、同じく挿入部１１が第２のハウジング２０内に挿入されて端子ホルダー２１の先端が挿入槽１４内に収容された時、前記複数のコンタクト１２、１２と対応して電気接続できるように端子ホルダー２１に取り付けられている複数の端子２２、２２とから構成されている。
【０００５】
このような構造の電子コネクタアセンブリを使用しようとする場合、開口２３を介して挿入部１１を第２のハウジング２０内に挿入し、端子ホルダー２１の先端を挿入槽１４内に収容させるように第１のコネクタ１と第２のコネクタ２を嵌合させて電気接続させれば良い。
【０００６】
しかしながら、前記構造の電子コネクタアセンブリでは、使用している時はただ第１のコネクタ１と第２のコネクタ２との嵌合によって両者間の結合及び電気接続を保持するしかないため、第１のコネクタ１と第２のコネクタ２が振動や手の触れなどちょっと外力を受けると、前記コネクタ同士間の電気接続は断続したり分離したりし、デジタル製品の工作や使用品質に大きく悪影響を与える。
【発明の開示】
【発明が解決しようとする課題】
【０００７】
本発明は、前記問題点を解決するものであり、２のコネクタの間の相対的移動を防いで両者の間の安定した電気接続を確保することができる電子コネクタアセンブリを提供することを目的とする。
【課題を解決するための手段】
【０００８】
前記目的を達成するために、本発明は、その内部に前面からの挿入槽が形成してある挿入部が前方へ突出した第１のハウジングと、前記挿入槽の内壁面に並んだ複数のコンタクトとから構成されている第１のコネクタと、その前方に開口した中空体であって該前方開口を介して前記挿入部が挿入される第２のハウジングと、前記挿入部が前記前方開口を介して前記第２のハウジング内に挿入された時、先端が前記挿入槽内に収容されるように前記第２のハウジング内に設けられている端子ホルダーと、同じく前記挿入部が前記第２のハウジング内に挿入されて前記端子ホルダーの先端が前記挿入槽内に収容された時、前記複数のコンタクトと対応して電気接続できるように前記端子ホルダーに取り付けられている複数の端子とから構成されている第２のコネクタと、前記第１のハウジングと前記第２のハウジングとに分設されている上、前記挿入部が前記第２のハウジング内に挿入されて前記端子ホルダーが前記挿入槽内に収容された時、それらの結合により、前記第１のハウジングと前記第２のハウジングとの相対的移動を防いで前記複数のコンタクトと前記複数の端子との間の電気接続を維持することができるように構成されているファスナー手段とを備えてなったことを特徴とする電子コネクタアセンブリを提供する。
【発明の効果】
【０００９】
前記構造による電子コネクタアセンブリは、前記第１のハウジングと前記第２のハウジングとに分設されたファスナー手段が増設されており、且つ該ファスナー手段は前記挿入部が前記第２のハウジング内に挿入されて前記端子ホルダーが前記挿入槽内に収容されたと同時に結合することができるので、該ファスナー手段の結合により、前記第１のコネクタと第２のコネクタとの間の電気接続を確保することができる。従って、本発明の電子コネクタアセンブリを利用する電子製品、デジタル製品などには、従来よく見られる電気接続不安定によるデータ伝送の中断、更に製品に損壊を与える重大な問題点が解決され得る。
【発明を実施するための最良の形態】
【００１０】
以下、添付図面に基づいて本発明の実施形態を詳細に説明する。
【００１１】
まず、本発明の第１実施形態の電子コネクタアセンブリを説明する。図１は、本発明の第１実施形態の電子コネクタアセンブリの第１のコネクタと第２のコネクタとの嵌合前状態を示す斜視図である。図２は、図１における第１のコネクタと第２のコネクタとの嵌合前状態の側面図である。
【００１２】
図１と図２に示すように、第１実施形態の電子コネクタアセンブリは、主として第１のコネクタ３と、第２のコネクタ４と、ファスナー手段とを備えてなっている。なお、以下例示する他の各実施形態は、その第１のコネクタ３と第２のコネクタ４の構成がそれらとほぼ同じであるが、ファスナー手段の構成がそれらと異なる。
【００１３】
この第１実施形態における第１のコネクタ３は、その内部に前面からの挿入槽３１１が形成してある挿入部３１が前方へ突出した第１のハウジング３０と、挿入槽３１１の内壁面に並んでおり、且つケーブル７と電気接続した複数のコンタクト３２、３２とから構成されている。
【００１４】
第２のコネクタ４は、その前方に開口した中空体であって該前方開口４０１を介して挿入部３１が挿入される第２のハウジング４０と、挿入部３１が前方開口４０１を介して第２のハウジング４０内に挿入された時、先端が前記挿入槽３１１内に収容されるように第２のハウジング４０内に設けられている端子ホルダー４１と、同じく挿入部３１が第２のハウジング４０内に挿入されて端子ホルダー４１の先端が挿入槽３１１内に収容された時、複数のコンタクト３２、３２と対応して電気接続できるように端子ホルダー４１に取り付けられている複数の端子４２、４２とから構成されている。なお、複数の端子４２、４２は、それぞれ第２のハウジング４０から回路基板（図示せず）に接続し得るように外部に露出している部分４２１を有する。
【００１５】
前記ファスナー手段は、第１のハウジング３０に固設されており、且つそれに前後方向に沿って貫通孔３３２が形成してあるねじ棒ホルダー３３と、第２のハウジング４０にねじ棒ホルダー３３と対応的に固設されており、且つ、それに、挿入部３１が第２のハウジング４０内に挿入されて端子ホルダー４１が挿入槽３１１内に収容された時、貫通孔３３２と軸芯線が同一になるねじ孔４３２が形成してあるねじ付け部材４３と、その先端部３４２にねじがついており、且つ挿入部３１が第２のハウジング４０内に挿入されて端子ホルダー４１が挿入槽３１１内に収容された時、貫通孔３３２を回転可能な嵌挿により通過してからねじ孔４３２とねじ合うことができるように形成されているねじ棒３４とからなっている。
【００１６】
使用しようとする時、開口４０１を介して挿入部１１を第２のハウジング２０内に挿入し、端子ホルダー４１の先端を挿入槽３１１内に収容させるように第１のコネクタ３と第２のコネクタ４を嵌合させて電気接続させると同時に、ねじ棒３４をねじ孔４３２とねじ合わせればよい。
【００１７】
この電子コネクタアセンブリを使用している時、即ち、挿入部３１が第２のハウジング４０内に挿入されて端子ホルダー４１が挿入槽３１１内に収容された時、第１のハウジング３０と第２のハウジング４０とに分設されている前記ファスナー手段のねじ付けにより、第１のハウジング３０と第２のハウジング４０との相対的移動を防いで複数のコンタクト３２、３２と複数の端子４２、４２との間の電気接続を維持することができる。
【００１８】
次に、本発明の第２実施形態の電子コネクタアセンブリを説明する。図３は、本発明の第２実施形態の電子コネクタアセンブリの第１のコネクタと第２のコネクタとの嵌合前状態を示す斜視図である。図４は、図３における第１のコネクタと第２のコネクタとの嵌合後状態の側面図である。
【００１９】
図３に示すように、本発明の第２実施形態の電子コネクタアセンブリの構造は、前記第１実施形態のとほぼ同じだが、その相違点は、ファスナー手段にあり、詳しくはねじ付け部材４３はナットの形になっており、且つ貫通孔３３２の前端部３３２Ａは、ねじ付け部材４３の前端部４３Ａに外嵌できるように拡大したことにある。図４に示すように、この貫通孔３３２の前端部３３２Ａの、ねじ付け部材４３の前端部４３Ａに対する外嵌により、ねじ合い前のねじ孔４３２を仮固定し、ねじ棒３４とねじ孔４３２とのねじ合いを容易にさせる効果を奏することができる。
【００２０】
図５は、本発明の第２実施形態の変形例の電子コネクタアセンブリの第１のコネクタと第２のコネクタとの嵌合後状態を示す側面図である。図５に示すように、この変形例の電子コネクタアセンブリの構造は、前記第２実施形態のとほぼ同じだが、その相違点は、ねじ棒３４′はすでに貫通孔３３２を挿通したものであり、その基部３４１は直径が貫通孔３３２より大きくて孔外に位置しており、また、その先端部３４２はねじ付きのものであって一部だけが孔外に突出しており、該ねじ付きの先端部３４２の根元に更に貫通孔３３２内の前記拡大によってなった階段面３３２ａと突き当たることができるフランジ３４３が張出しに設けてあることにある。
【００２１】
次に、本発明の第３実施形態の電子コネクタアセンブリを説明する。図６は、本発明の第３実施形態の電子コネクタアセンブリの第１のコネクタと第２のコネクタとの嵌合前状態を示す部分断面側面図である。図７は、本発明の第３実施形態の変形例の電子コネクタアセンブリの第１のコネクタと第２のコネクタとの嵌合前状態を示す側面図である。
【００２２】
図６に示すように、本発明の第３実施形態の電子コネクタアセンブリの構造は、前記第１実施形態のとほぼ同じだが、その相違点は、前記ファスナー手段は、第１のハウジング３０に固設されており、且つそれに前方へ突出する突起３５１が形成してある突起台３５と、第２のハウジング４０に突起台３５と対応的に固設されており、且つ、それに、挿入部３１が第２のハウジング４０内に挿入されて端子ホルダー４１が挿入槽３１１内に収容された時、突起３５１と嵌め合う嵌合孔４４１が形成してある係止台４４とからなっていることにある。
【００２３】
図７に示すよう、この第３実施形態の変形例において、第３実施形態のと逆に、前記ファスナー手段は、第２のハウジング４０に固設されており、且つそれに前方へ突出する突起４５１が形成してある突起台４５と、第１のハウジング３０に突起台４５と対応的に固設されており、且つ、それに、挿入部３１が第２のハウジング４０内に挿入されて端子ホルダー４１が挿入槽３１１内に収容された時、突起４５１と嵌め合う嵌合孔３６１が形成してある係止台３６とからなっている。
【００２４】
次に、本発明の第４実施形態の電子コネクタアセンブリを説明する。図８は、本発明の第４実施形態の電子コネクタアセンブリの第１のコネクタと第２のコネクタとの嵌合前状態を示す側断面図である。
【００２５】
本発明の第４実施形態の電子コネクタアセンブリの構造は、前記第１実施形態のとほぼ同じだが、図８に示すよう、その相違点は、前記ファスナー手段は、中空体である第２のハウジング４０ａの内壁面４０３に窪んだ凹孔４０２と、第１のハウジング３０の外壁面３０１に弾性的に設置されている上、それに、挿入部３１が第２のハウジング４０ａ内に挿入されて端子ホルダー４１が挿入槽３１１内に収容された時、前記弾性により凹孔４０２に嵌入してそれと係合することができる係止突起５１が設けてある係止部材５とからなっていることにある。
【００２６】
次に、本発明の第５実施形態の電子コネクタアセンブリを説明する。図９は、本発明の第５実施形態の電子コネクタアセンブリの第１のコネクタと第２のコネクタとの嵌合前状態を示す上面図である。図１０は、図９における第１のコネクタと第２のコネクタとの嵌合後状態の側面図である。図１１は、図９におけるファスナー手段を拡大して示す斜視図である。
【００２７】
本発明の第５実施形態の電子コネクタアセンブリの構造は、前記第１実施形態のとほぼ同じだが、図９と図１０に示すように、その相違点は、前記ファスナー手段は、第２のハウジング４０に固設されており、且つそれに前方へ突出しており、その周面６３２に一環の係止溝６３３が設けられた突起６３１が形成してある台座６３と、第１のハウジング３０に固設されており、互いに対向していて挟持をする一対のアーク形の凹陥部６２２、６２２が形成してある先端６２１、６２１を有し（図１１参照）、且つ、挿入部３１が第２のハウジング４０内に挿入されて端子ホルダー４１が挿入槽３１１内に収容された時、該一対の先端６２１、６２１がそれぞれ係止溝６３３に内嵌しながら左右の一方から弾性的に突起６３１を銜えて挟持する一対の挟持アーム６２、６２とからなっていることにある。
【００２８】
以上、本発明の好適な実施形態について説明したが、本発明は前記実施形態に限定されず、本発明の精神の範囲内において種々の変形や変更が可能である。
【産業上の利用可能性】
【００２９】
以上のように、本発明の電子コネクタアセンブリによれば、２のコネクタの間の相対的移動を防いで両者の間の安定した電気接続を確保することができる。従って、本発明の電子コネクタアセンブリを利用する電子製品、デジタル製品などには、従来よく見られる電気接続不安定によるデータ伝送の中断、更に製品に損壊を与える重大な問題点が解決され得る。
【図面の簡単な説明】
【００３０】
【図１】本発明の第１実施形態の電子コネクタアセンブリの第１のコネクタと第２のコネクタとの嵌合前状態を示す斜視図である。
【図２】図１における第１のコネクタと第２のコネクタとの嵌合前状態の側面図である。
【図３】本発明の第２実施形態の電子コネクタアセンブリの第１のコネクタと第２のコネクタとの嵌合前状態を示す斜視図である。
【図４】図３における第１のコネクタと第２のコネクタとの嵌合後状態の側面図である。
【図５】本発明の第２実施形態の変形例の電子コネクタアセンブリの第１のコネクタと第２のコネクタとの嵌合後状態を示す側面図である。
【図６】本発明の第３実施形態の電子コネクタアセンブリの第１のコネクタと第２のコネクタとの嵌合前状態を示す部分断面側面図である。
【図７】本発明の第３実施形態の変形例の電子コネクタアセンブリの第１のコネクタと第２のコネクタとの嵌合前状態を示す側面図である。
【図８】本発明の第４実施形態の電子コネクタアセンブリの第１のコネクタと第２のコネクタとの嵌合前状態を示す側断面図である。
【図９】本発明の第５実施形態の電子コネクタアセンブリの第１のコネクタと第２のコネクタとの嵌合前状態を示す上面図である。
【図１０】図９における第１のコネクタと第２のコネクタとの嵌合後状態の側面図である。
【図１１】図９におけるファスナー手段を拡大して示す斜視図である。
【図１２】従来の電子コネクタアセンブリの第１のコネクタと第２のコネクタとの嵌合前状態を示す斜視図である。
【図１３】図１２における第１のコネクタと第２のコネクタとの嵌合後状態の側面図である。
【符号の説明】
【００３１】
３        第１のコネクタ
３０      第１のハウジング
３０１    外壁面
３１      挿入部
３１１    挿入槽
３２      コンタクト
３３      ねじ棒ホルダー
３３２    貫通孔
３３２Ａ  貫通孔の前端部
３３２ａ  階段面
３４      ねじ棒
３４′    ねじ棒
３４１    ねじ棒の基部
３４２    ねじ棒の先端部
３４３    フランジ
３５      突起台
３５１    突起
３６      係止台
３６１    嵌合孔
４        第２のコネクタ
４０      第２のハウジング
４０ａ    第２のハウジング
４０１    前方開口
４０２    凹孔
４０３    内壁面
４１      端子ホルダー
４２      端子
４２１    端子の外部に露出している部分
４３      ねじ付け部材
４３Ａ    ねじ付け部材の前端部
４３２    ねじ孔
４４      係止台
４４１    嵌合孔
４５      突起台
４５１    突起
５        係止部材
５１      係止突起
６２      挟持アーム
６２１    先端
６３      台座
６３１    突起
６３２    周面
６３３    係止溝
７        ケーブル
【図１】
2007200652.tif 000003
【図２】
2007200652.tif 000004
【図３】
2007200652.tif 000005
【図４】
2007200652.tif 000006
【図５】
2007200652.tif 000007
【図６】
2007200652.tif 000008
【図７】
2007200652.tif 000009
【図８】
2007200652.tif 000010
【図９】
2007200652.tif 000011
【図１０】
2007200652.tif 000012
【図１１】
2007200652.tif 000013
【図１２】
2007200652.tif 000014
【図１３】
2007200652.tif 000015